(57)【特許請求の範囲】
【請求項１】
床部と天井部との間の側壁を上下方向へ複数に分割して伸縮可能とし、その側壁を伸長状態において固定するための固定手段を設けるとともに、前記側壁間に位置する間仕切りを上下方向へ複数に分割し、分割された間仕切りを折り畳み可能とした建物ユニット。
【発明の詳細な説明】
【０００１】
【発明の属する技術分野】
この発明は、例えばキャンプ場等に設置して、トイレ等に使用する建物ユニットに関するものである。
【０００２】
【従来の技術】
一般に、この種の建物ユニットは、工場で箱型等の所定形状に組み立てられ、トレーラトラック等により建築現場まで搬送されて、その建築現場に設置されている。このため、建物ユニットの搬送時には、その高さをできる限り低くして、搬送に支障を来さないように配慮する必要があった。
【０００３】
このような要望に対応するため、例えば特開平９−３２１１５号公報（第１従来構成）、特開平９−３２１１６号公報（第２従来構成）、特開平１０−８２１８９号公報（第３従来構成）、及び実用新案登録第２５３９６２１号公報（第４従来構成）に示すような構成が従来から提案されている。
【０００４】
すなわち、第１従来構成には、一定の平面形状を有する一階躯体に、その一階躯体よりも若干大きい平面形状を有する二階躯体を上下動可能に外嵌してなる組み立て家屋が開示されている。そして、二階躯体を一階躯体に外嵌した状態で、両躯体を建築現場まで搬送し、その建築現場において一階躯体を基礎上に設置した後、二階躯体を持ち上げて、その持ち上げ状態で一階躯体に固定するようになっている。
【０００５】
また、第２従来構成には、一定の平面形状を有する一階躯体内に、その一階躯体よりも若干小さい平面形状を有する二階躯体を上下動可能に挿入してなる組み立て家屋が開示されている。そして、二階躯体を一階躯体内に挿入した状態で、両躯体を建築現場まで搬送し、その建築現場において一階躯体を基礎上に設置した後、二階躯体を持ち上げて、その持ち上げ状態で一階躯体に固定するようになっている。
【０００６】
また、第３従来構成には、設置面に形成されたコンクリート溝内に、ボックス本体の側壁を収納可能にした仮設屋外トイレが開示されている。そして、この仮設屋外トイレの不使用時には、ボックス本体の側壁を設置面のコンクリート溝内に収納して、ボックス本体の天板により、排泄用孔を塞ぐようになっている。
【０００７】
さらに、第４従来構成には、便器の周側に、伸縮可能な４本の支柱と伸縮可能な蛇腹筒とよりなる折り畳み壁を配置してなるポータブルトイレが開示されている。そして、このポータブルトイレの使用時には、折り畳み壁を伸長させて、便器の周側上方を取り囲むようになっている。
【０００８】
【発明が解決しようとする課題】
ところが、これらの従来構成においては、次のような問題があった。
すなわち、第１従来構成及び第２従来構成の組み立て家屋では、一階躯体と二階躯体とが伸縮可能に構成されているため、家屋の高さを一階分よりも低く形成することができず、搬送時の高さの短縮効果が不十分であった。
【０００９】
また、第３従来構成の仮設屋外トイレでは、不使用時にボックス本体が設置面内に埋没収納されるように構成されているため、搬送時における高さの短縮効果を期待することはできなかった。
【００１０】
さらに、第４従来構成のポータブルトイレでは、単にポータブル構造の折り畳み壁を備えているものであるため、強度及び大きさの上から、この構造を建物に適用することはできなかった。
【００１１】
この発明は、このような従来の技術に存在する問題点に着目してなされたものである。その目的とするところは、搬送時に高さを低くした状態で支障なく容易に運搬することができるとともに、建築現場において所定の高さに簡単に伸長させて固定することができ、室内容積を大きくすることができる建物ユニットを提供することにある。
【００１２】
【課題を解決するための手段及び発明の効果】
上記の目的を達成するために、請求項１に記載の発明では、床部と天井部との間の側壁を上下方向へ複数に分割して伸縮可能とし、その側壁を伸長状態において固定するための固定手段を設けるとともに、前記側壁間に位置する間仕切りを上下方向へ複数に分割し、この分割された間仕切りを折り畳み可能としたものである。
【００１３】
従って、建物ユニットの搬送時には、分割した側壁を短縮させて全体の高さを低くした状態で、建築現場まで支障なく容易に運搬することができる。また、建築現場においては、側壁を伸長させて全体を所定の高さにした後、その伸長状態で簡単に固定することができ、室内容積を大きくすることができる。
【００１４】
また、建物ユニットの設置後に、内部に間仕切りを組み付ける必要がなく、設置作業を簡単に行うことができる。
【００１５】
さらに、分割された間仕切りを折り畳むとともに、分割された側壁を短縮させた状態で、建物ユニットを容易に運搬することができる。
【００１６】
【発明の実施の形態】
以下に、この発明の一実施形態を、図面に基づいて詳細に説明する。
図１〜図３に示すように、この実施形態の建物ユニット１１は、床部１２と、天井部１３と、その床部１２及び天井部１３間の左右両側部及び後部を覆う側壁１４とにより、ほぼ箱型状に形成されている。そして、天井部１３の上部には屋根１５が取り付けられている。
【００１７】
前記床部１２と天井部１３との間には、前後方向に延びる一対の第１間仕切り１６が所定間隔をおいて平行に配設されている。床部１２と天井部１３との間において、一対の第１間仕切り１６の前端部間には左右方向に延びる第２間仕切り１７が配設され、左右両側壁１４と各第１間仕切り１６との間には左右方向に延びる第３間仕切り１８がそれぞれ配設されている。そして、これらの間仕切り１６，１７，１８により、建物ユニット１１内に女子用トイレ室１９、男子大用トイレ室２０、男子小用トイレ室２１、及びポンプ等の処理機械や掃除道具等を収容するための収容室２２が区画形成されている。なお、図面においては、理解を容易にするために、間仕切り等の板材あるいはパネルの板厚を誇張して描いてある。
【００１８】
前記各第３間仕切り１８にはドア２３がそれぞれ取り付けられ、これらのドア２３を開放させて、女子用トイレ室１９及び男子大用トイレ室２０内へ出入りするようになっている。機械室２２の後方において後部側壁１４にはドア２４が取り付けられ、このドア２４を開放させて、機械室２２内へ出入りするようになっている。
【００１９】
前記床部１２上には汚水処理タンク２５が配設されている。そして、女子用トイレ室１９、男子大用トイレ室２０及び男子小用トイレ室２１内において、この汚水処理タンク２５上には便器２６がそれぞれ配設され、それらの便器２６から排出される汚水が汚水処理タンク２５内に貯溜されるようになっている。天井部１３上には雨水回収タンク２７が配設され、屋根１５上に降った雨水がこの雨水収集タンク２７内に回収された後、便器２６の水洗等に使用されるようになっている。
【００２０】
次に、前記建物ユニット１１の側壁１４等の伸縮構成について詳細に説明する。図１〜図３に示すように、側壁１４は上下方向へ２つに分割して構成され、上部側壁１４ａが下部側壁１４ｂの外側に伸縮可能に嵌合されるようになっている。そして、建物ユニット１１の搬送時には、図５に示すように、上部側壁１４ａが下部側壁１４ｂの外側に嵌合されて、側壁１４全体の高さが短縮された状態で、建物ユニット１１がトレーラトラック等に積載されるようになっている。
【００２１】
すなわち、図４に示すように、前記上部側壁１４ａの四隅部には断面Ｌ字状の鋼材（以後、この鋼材２９をガイドレール２９とする）２９が固定され、そのガイドレール２９には複数の下地材２８が固定されている。そして、それらの下地材２８に外装板３０及び内装板３１が固定されている。
【００２２】
前記下部側壁１４ｂの四隅部には３本の支柱３２がそれぞれ立設され、中央の支柱３２の外面にはガイドレール２９に摺接可能な複数のローラ３３が回転可能に取り付けられている。また、四隅部の支柱３２間の左右両側部と後部には外装板３４及び内装板３５が張設されている。そして、前記複数のローラ３３を介して、上部側壁１４ａが下部側壁１４ｂに対して伸縮移動されるようになっている。
【００２３】
図１及び図３に示すように、前記上部側壁１４ａの下端部には固定手段としての複数のボルト３６が螺合され、これらのボルト３６と対応するように、下部側壁１４ｂの上端部には固定手段としての複数のネジ孔３７が形成されている。そして、建物ユニット１１を建築現場に設置した後、上部側壁１４ａを下部側壁１４ｂから持ち上げて、側壁１４全体の高さを伸長させた状態で、各ボルト３６をネジ孔３７に螺合させることにより、側壁１４が伸長状態に固定されるようになっている。
【００２４】
図１〜図３に示すように、前記第１間仕切り１６及び第２間仕切り１７は、それぞれ上下方向へ２つに分割して構成されている。そして、分割された上部第１間仕切り１６ａ及び上部第２間仕切り１７ａが下部第１間仕切り１６ｂ及び下部第２間仕切り１７ｂの内側に伸縮可能に嵌合されるようになっている。
【００２５】
前記第３間仕切り１８は、それぞれ上下方向へ２つに分割して構成されている。また、分割された上部第３間仕切り１８ａが天井部１３の下面にヒンジ３８を介して折り畳み回動可能に取り付けられるとともに、下部第３間仕切り１８ｂが延長状態の上部第３間仕切り１８ａと対応するように、下部側壁１４ｂの内面に固定配置されている。そして、図３に示すように、延長状態の上部第３間仕切り１８ａの下端縁と下部第３間仕切り１８ｂの上端縁とが、連結板３９及び複数のボルト４０により相互に連結固定されるようになっている。
【００２６】
図２及び図３に示すように、前記床部１２の前端縁には一対のステップ板４１がヒンジ４２を介して折り畳み回動可能に取り付けられている。そして、建物ユニット１１の搬送時には、これらのステップ板４１を図３に鎖線で示す折り畳み位置に回動配置するとともに、建物ユニット１１の設置後には、各ステップ板４１を同図に実線で示す突出位置に回動配置するようになっている。
【００２７】
次に、前記のように構成された建物ユニットの作用を説明する。
さて、この建物ユニット１１は、工場において所定形状に組み立てられ、必要に応じてトレーラトラック等に積載して建築現場まで搬送された後、その建築現場に設置される。この建物ユニット１１の搬送時には、図５に示すように、上部側壁１４ａが下部側壁１４ｂの外側に嵌合されて、側壁１４が短縮された状態で搬送作業が行われる。
【００２８】
この状態では、上部第１及び第２仕切り１６ａ，１７ａが下部第１及び第２間仕切り１６ｂ，１７ｂの内側に嵌合されるとともに、上部第３間仕切り１８ａが折り畳み位置に回動配置されている。また、ステップ板４１も折り畳み位置に回動配置されている。従って、建物ユニット１１の高さをできる限り低く保つとともに、外形をコンパクトに保った状態で搬送することができて、搬送経路中にガード下等の高さ制限を受ける部分が存在する場合でも、その部分を支障なく容易に通過することができる。
【００２９】
そして、建物ユニット１１を建築現場に設置する場合には、床部１２を建築現場の所定設置箇所に設置した後、図１及び図３に示すように、上部側壁１４ａを下部側壁１４ｂに対する嵌合状態から持ち上げて、側壁１４を伸長させる。このとき、上部第１及び第２間仕切り１６ａ，１７ａが下部第１及び第２間仕切り１６ｂ，１７ｂに対する嵌合状態から持ち上げられて、第１及び第２間仕切り１６，１７が伸長状態になる。また、上部第３間仕切り１８ａが折り畳み位置から延長位置に回動配置されて、下部第３間仕切り１８ｂの上端に接合される。
【００３０】
この状態で、上部側壁１４ａの下端外側から下部側壁１４ｂのネジ孔３７に複数のボルト３７を螺合させることにより、側壁１４を伸長状態に固定する。また、上部第３間仕切り１８ａの下端縁と下部第３間仕切り１８ｂの上端縁とを、連結板３９及び複数のボルト４０により相互に連結固定する。さらに、ステップ板４１を折り畳み位置から突出位置に回動配置する。
【００３１】
なお、両第３間仕切り１８のドア２３，後部側壁１４のドア２４，女子用トイレ室１９、男子大用トイレ室２０及び男子小用トイレ室２１内における水処理タンク２５上の便器２６はそれぞれ工場において取付けられる。
【００３２】
前記の実施形態によって期待できる効果について、以下に記載する。
・  この実施形態の建物ユニットにおいては、床部１２と天井部１３との間の側壁１４が上下方向へ２つに分割されて、伸縮可能に構成されている。そして、分割された上部側壁１４ａと下部側壁１４ｂとが伸長状態において、複数のボルト３６により固定されるようになっている。
【００３３】
このため、建物ユニット１１の搬送時には、分割した側壁１４ａ，１４ｂを短縮させてユニット１１全体の高さを低くした状態で、建築現場まで支障なく容易に運搬することができる。また、建築現場においては、側壁１４ａ，１４ｂを伸長させてユニット１１全体を所定の高さにした後、その伸長状態で複数のボルト３６により簡単に固定することができ、室内容積を拡大できる。
【００３４】
・  この実施形態の建物ユニットにおいては、側壁１４間に位置する間仕切り１６，１７，１８が上下方向へ２つに分割されている。このため、建物ユニット１１の設置後に、内部に間仕切り１６〜１８を組み付ける必要がなく、設置作業を簡単に行うことができる。
【００３５】
・  この実施形態の建物ユニットにおいては、分割された上部第３間仕切り１８ａが天井部１３に対して折り畳み可能に取り付けられている。このため、上部第３間仕切り１８ａを折り畳むとともに、分割された側壁１４ａ，１４ｂを短縮させた状態で、建物ユニット１１を容易に運搬することができる。
【００３６】
・  この実施形態の建物ユニットにおいては、２つに分割された側壁１４ａ，１４ｂ間に複数のローラ３３が介装されている。このため、側壁１４ａ，１４ｂを短縮状態から伸長状態へ容易に伸長させることができて、設置作業を簡単に行うことができる。
【００３７】
・  この実施形態の建物ユニットにおいては、床部１２の前端縁にステップ板４１が折り畳み可能に取り付けられている。このため、建物ユニット１１の搬送時には、ステップ板４１を折り畳んだ状態で、ユニット１１全体を嵩張ることなく容易に搬送することができる。また、建物ユニット１１の設置後には、ステップ板４１を突出状態に配置して、内部への出入りを容易に行うことができる。
【００３８】
なお、この実施形態は、次のように変更して具体化することも可能である。
・  側壁１４を上下方向へ３つ以上の複数に分割して構成すること。この場合、上下中間部のものは他の部分と切り離されて構成され、組立時にはボルト等により上下の分割片間に固定される。
【００３９】
・  各間仕切り１６，１７，１８を上下方向へ３つ以上の複数に分割して構成すること。この場合も同じく、上下中間部のものは他の部分と切り離されて構成され、組立時にはボルト等により上下の分割片間に固定される。
【００４０】
・  側壁１４を伸長状態において、前記実施形態とは異なった固定金具、例えば継手金具等の固定手段により固定するように構成すること。
【図面の簡単な説明】
【図１】この発明の建物ユニットの一実施形態を示す縦断面図。
【図２】図１の２−２線における断面図。
【図３】図２の３−３線における断面図。
【図４】図２のＰ１部分を拡大して示す部分断面図。
【図５】図３の建物ユニットにおける側壁の短縮状態を示す断面図。
【符号の説明】
１１…建物ユニット、１２…床部、１３…天井部、１４…側壁、１４ａ…上部側壁、１４ｂ…下部側壁、１６…第１間仕切り、１６ａ…上部第１間仕切り、１６ｂ…下部第１間仕切り、１７…第２間仕切り、１７ａ…上部第２間仕切り、１７ｂ…下部第２間仕切り、１８…第３間仕切り、１８ａ…上部第３間仕切り、１８ｂ…下部第３間仕切り、３３…ローラ、３６…固定手段を構成するボルト、３７…固定手段を構成するネジ孔、３８…ヒンジ、４１…ステップ板、４２…ヒンジ。
【図１】
0003574344.tif 000002
【図２】
0003574344.tif 000003
【図３】
0003574344.tif 000004
【図４】
0003574344.tif 000005
【図５】
0003574344.tif 000006